(57)【要約】【課題】  コネクタ操作による煩雑さを取り除き、装置が電源OFFまたは省電力モード中であっても起動または復帰動作を要することなく追加回路によるコストアップを抑えて、メモリ交換を簡単に行うことができるバックアップ回路切断の実現を図る。【解決手段】  揮発性メモリへの格納データを主電源OFF時にも保持する保持電源回路への２次電池からの電力供給経路を切断する半導体スイッチと、該半導体スイッチを人為的にOFFするための保持電源切断スイッチを設けた。  さらに、前記保持電源回路は主電源ONからOFFへの遷移により２次電池から供給される電力でバックアップ動作を開始するため、主電源ON信号による２次電池側DCDCコンバータの出力イネーブルを設けた。【選択図】  図１
2009271765.tif 000002
【特許請求の範囲】
【請求項１】
充電可能な２次電池を用い揮発性メモリへの格納データを主電源OFF時にも保持することができる保持電源回路を持ち、該揮発性メモリの容量を変更することができるメモリデータ保持システムにおいて、
２次電池の電圧低下を監視し閾値以下になった場合に前記保持電源回路への電力供給を切断する半導体スイッチを備え、
該半導体スイッチを人為的にOFFするための保持電源切断スイッチをさらに設け、
前記保持電源回路は切断状態からの復帰は主電源ONにより復帰することを特徴とするメモリデータ保持システム。
【請求項２】
前記２次電池はニッケル水素電池であることを特徴とする請求項１に記載のメモリデータ保持システム。
【請求項３】
前記保持電源切断スイッチはプッシュスイッチであることを特徴とする請求項１に記載のメモリデータ保持システム。
【発明の詳細な説明】
【技術分野】
【０００１】
本提案は2次電池を使ったメモリのデータ保持回路を持つシステムに関し、特にメモリを増設や交換できるシステムで、主電源OFF時に2次電池からの電力供給でデータを保持するFAXや複合機に関する。
【背景技術】
【０００２】
FAX通信は１対１の通信でデータの送受信を行い、電子メールなどのように送信側がサーバーにデータを蓄積し受信側でサーバーから受け取る形式ではなく通信を確立した機器間で送受信が同時に行われる。このような装置間で同時に送受信が行われる場合、受信側でデータの保存が必要である。
【０００３】
このため、FAXやFAX機能を持つ複合機では、受信データを出力用紙に印刷することで保存とみなしたり、データ保存用メモリに格納して保存したりしていた。
【０００４】
さらに、FAX通信はいつ行われるか特定できないため、待機時の電力を減らす技術として、受信動作を行う際に必要な電源をONし受信終了後、復帰可能な最低限の回路用の電力供給のみとするものがある。主電源をOFFして2次電池から電力供給してデータ保存用メモリのデータをバックアップする構成のものがある。
【０００５】
下記特許文献１では、SDRAMをメモリとしてFAX機能を備えた複合機において、メモリ内の受信画像データなどを２次電池を用いてバックアップして、主電源OFF時でもデータを保持する構成が示されている。
【０００６】
前記、特許文献１で示される装置では、メモリの増設や交換を行う際に活線挿抜を防止するしくみが明記されていないが、ケーブルやコネクタを利用して接続されていることは容易に類推できる。
【０００７】
ケーブル等により接続されている場合、コネクタを外して、バックアップ電力を切断しメモリの増設・交換を行うことになる。
【０００８】
コネクタ外しを不要とするためには、操作部等の他のキーを押しながら主電源OFFにしたり、通信インターフェースを利用してコマンドを入力したりすることで、バックアップ電力を切断する仕組みを持たせる構成も、容易に考えられる。
【特許文献１】特開２００７−２６４７５５公報
【発明の開示】
【発明が解決しようとする課題】
【０００９】
従来の２次電池のコネクタを外して、バックアップ電力を切りメモリの増設・交換を行う場合、動作させるときにコネクタを取り付ける作業が必要となり、作業し忘れによる活線挿抜発生の可能性があった。
【００１０】
さらに、コネクタ操作を不要とするキー操作追加や通信インターフェースコマンド入力では、装置が電源ON状態でなければならず、装置が電源OFF状態や省電力モード中の場合、起動または復帰動作を要した。また、省電力動作と組み合わせた場合、CPUがスリープ中でも動作できる回路の追加が発生しコストアップを引き起こしていた。
【００１１】
本発明では、コネクタ操作による煩雑さを取り除き、装置が電源OFFまたは省電力モード中であっても起動または復帰動作を要することなく追加回路によるコストアップを抑えて、メモリ交換を簡単に行うことができるバックアップ回路切断の実現を目的とする。
【課題を解決するための手段】
【００１２】
上述の課題を解決するために、本発明は、以下の特徴を要する。
【００１３】
揮発性メモリへの格納データを主電源OFF時にも保持する保持電源回路への２次電池からの電力供給経路を切断する半導体スイッチと、該半導体スイッチを人為的にOFFするための保持電源切断スイッチを設けた。
【００１４】
さらに、前記保持電源回路は主電源ONからOFFへの遷移により２次電池から供給される電力でバックアップ動作を開始するため、主電源ON信号による２次電池側DCDCコンバータの出力イネーブルを設けた。
【発明の効果】
【００１５】
コネクタの脱着操作による煩雑さを取り除き、装置が電源OFFまたは省電力モード中であっても起動または復帰動作を要することもなくメモリ増設・交換を簡単に行うことができる。
【発明を実施するための最良の形態】
【００１６】
次に、本発明の詳細を実施例の記述に従って説明する。
【実施例１】
【００１７】
本発明の実施例１の構成を図１に示す。
【００１８】
１０１は、２次電池で主電源ON中は充電回路２より充電可能であり主電源OFF時はバックアップ電源への電力供給を行う。
【００１９】
２は、充電回路で主電源ON時に満充電になるまで２次電池１０１を充電することができる。
【００２０】
１０３は、Lowレベル電圧監視部で２次電池１０１の電圧が閾値以下になっていないかを監視し、閾値以下になったらFET１０５をOFFして２次電池の消耗を防ぐ機能を持つ。
【００２１】
１０４は、プッシュスイッチで押下されるとFET１０５をOFFにし２次電池によるバックアップ電源への電力供給経路を切断する。
【００２２】
１０５は、FETで２次電池の電力をDCDCコンバータ６に伝えバックアップ電源を駆動する。また、Lowレベル電圧監視部１０３とプッシュスイッチ１０４によりOFFすることができ、メイン電源から供給される電力でDCDCコンバータ９、FET８を経由してバックアップ電源が供給されている間にONとなる。
【００２３】
６は、DCDCコンバータで２次電池１０１の電力からバックアップ電力を生成する。
【００２４】
７はメイン電源ON信号でメイン電源から電力供給されているか否かを示し、メイン電源から電力供給されている間はDCDCコンバータ６をOFF状態にし、DCDCコンバータ９、FET８を経由してバックアップ電源への電力供給を行う。
【００２５】
８は、FETでメイン電源ON信号７の制御により、メイン電源ON の間はDCDCコンバータ９からの電力をバックアップ電源に供給する。
【００２６】
９は、DCDCコンバータでメイン電源ON時にバックアップ電源へ電力を供給する。
【００２７】
１０は、On-Board DRAMで揮発性メモリであり、バックアップ電源から電力を供給されている間のみデータを保持する。
【００２８】
１１は、DIMM SocketでOption DRAM１２を着脱可能に構成されている。
【００２９】
１２は、Option DRAMでOn-Board DRAMと同じ揮発性メモリであり、バックアップ電源から電力を供給されている間のみデータを保持する。
【００３０】
図２に従来のコネクタによるバックアップ回路の構成を示す。
【００３１】
FET１０５がコネクタ５に変わり、２次電池１０１がスーパーキャパ１に変わり、Lowレベル電圧監視部１０３とプッシュスイッチ１０４がない構成である。
【００３２】
図３に従来のコネクタによるメモリ交換と、本発明の実施例１のメモリ交換の作業フローを示す。
【００３３】
メモリ交換作業スタート(S1)で、BACK-UPデータが消去可能か否かの判断が、まず発生する(S2)。消去可能であれば、電源OFFする(S4)。消去可能でなければBACK-UPデータの消去を行う（S3）。装置の電源がONであれば、メモリに格納されているFAX受信データを印刷したり、他の装置にデータを転送したり、データの消去をコマンドとして入力する形でも何でもよく、いずれかまたは組み合わせた処理で、メモリ内のデータを消去する。ここでは、受信データの印刷で処理する。処理が終わるとメモリ内が空になるので、本体電源をOFFにする（S4）。続けて、メモリ用蓋外し作業を行う（S5）。基板上のスイッチを押下する（S16）。基板上のメモリを交換・または増設する（S7）。
【００３４】
本体電源をONにして、動作確認を行う（S9）。Error等が発生した場合は、所定のError処理を行い、OKとなれば蓋を取り付けて終了である（S10）。
【００３５】
従来と本発明の差分としては、S6のコネクタ外しが、本発明ではスイッチ押下(S16)となり、S8のコネクタ取り付けがなくなっている部分である。
【００３６】
これにより、コネクタのつけ忘れが発生しない。
【実施例２】
【００３７】
図４に実施例２の構成を示す。
【００３８】
実施例１との相違点を述べる。
【００３９】
１１３が追加されている。１１３は、LEDでバックアップ電源が所望のバックアップ状態である間は点灯し、OFFされると消灯する。
【００４０】
プッシュスイッチ１０４を押下されると、LED113が消灯し、バックアップ電源が切れたことを一目で確認することができる。
【図面の簡単な説明】
【００４１】
【図１】本発明の実施例１のバックアップ回路
【図２】従来のバックアップ回路（コネクタ）
【図３】本発明と従来例のメモリ交換作業フロー
【図４】本発明の実施例２のバックアップ回路
【符号の説明】
【００４２】
１  スーパーキャパ
２  充電回路
５  コネクタ
６  DCDCコンバータ
７  メイン電源ON信号
８  FET
９  DCDCコンバータ
１０  On-Board  DRAM
１１  DIMM Socket
１２  Option DRAM
１０１  ２次電池（ニッケル水素）
１０３  Lowレベル電圧監視
１０４  プッシュスイッチ
１０５  FET
１１３  LED
【図１】
2009271765.tif 000003
【図２】
2009271765.tif 000004
【図３】
2009271765.tif 000005
【図４】
2009271765.tif 000006